(57)【要約】  【課題】  瓦を支える屋根下地板等を傷つけたり、強度を低下させたりすることなく、更に物品の取り付け台を組み付ける作業も簡単に且つ短時間に行なえるようにすることを目的とする。【解決手段】  板状部材を支持する支持部材に設置部材を設置し、設置部材から立ち上げられた連結具又は／及び連結具に連結された雨水浸入防止手段の連結部を、封止部分を除去した板状部材の貫通部を貫通させ、貫通部を雨水浸入防止手段で雨水の浸入を防止させるとともに、雨水浸入防止手段に物品受け部を固定具で固定するようにした。【選択図】図４
2007016425.tif 000002
【特許請求の範囲】
【請求項１】
建築物に敷設された板状部材を貫通し、下端が板状部材を支持する支持部材に支持される設置部材と、板状部材から突出する設置部材に設けられた物品受け部とを備え、板状部材が貫通する部分の設置部材に雨水浸入防止手段を設け、雨水浸入防止手段を設けた部分と設置部材部分とは連結部分で分離可能に構成すると共に、設置部材と物品受け部とが相対回動可能に構成されていることを特徴とする板状部材上に設けられる物品の取り付け台。
【請求項２】
板状部材が瓦であって、物品取り付け台の一部を貫通させる部分が破封部分を介して封止部分で閉塞されており、物品取り付け台を取り付けるに際し、当該破封部分を除去して開口し、物品取り付け台の一部を貫通させるようにしたことを特徴とする請求項１に記載の板状部材上に設けられる物品の取り付け台。
【請求項３】
板状部材を支持する支持部材に設置部材を設置し、設置部材から連結具を立ち上げ、この連結具又は／及び連結具に連結された雨水浸入防止手段の連結部を、封止部分を除去した板状部材の貫通部を貫通させ、当該貫通部を雨水浸入防止手段で雨水の浸入を防止させるとともに、雨水浸入防止手段に物品受け部を固定具で固定するようにしたことを特徴とする板状部材上に設けられる物品の取り付け台の設置方法。
【請求項４】
板状部材が既設の瓦であって、穿孔具で貫通部を形成し、少なくとも貫通部乃至その周辺部分を防水塗料の塗布若しくは防水シートを設けて雨水浸入防止手段を形成するようにしたことを特徴とする請求項３に記載の板状部材上に設けられる物品の取り付け台の設置方法。
【発明の詳細な説明】
【技術分野】
【０００１】
本発明は板状部材上に設けられる物品の取り付け台及びその設置方法に関するものである。
【背景技術】
【０００２】
例えば、給湯装置の集熱部、太陽電池用の発電部やベランダ等のように比較的重量の重い載置物の屋根瓦の上面部分への載置構造は特許文献１に示すように集熱部と貯湯部を棟の頂部を跨いだ状態に設けて両部分を棟越しカバーで連結したものが知られている。
上記公報のものでは、瓦の表面に載せ置くだけであることから地震や台風等では飛んだりずれ動いてしまう虞があることから、給湯装置の端部と屋根の端の屋根下地板部分とを番線で連結し固定するようにしている。
ところが、この番線で固定する作業が危険であるうえ、外観も悪く、番線の腐蝕も早いことから耐久性にも問題があった。
【０００３】
そこで、かかる問題を解消するために本発明の出願人は屋根下地板の上面に瓦を葺設し、葺設された瓦の上面に載置物を載置固定する部分の屋根瓦の構造であって、屋根瓦を付設する屋根下地板に受け金具を立設し、該受け金具の上面部分に対面して葺設された瓦部分に受け金具及び／又は受け金具に固定される支持金具の挿通孔を穿設し、該挿通孔の上端部に雨水浸入防止手段を設けたことを特徴とする載置物を載置可能にしたものを先に提案している（特許文献２）。
【０００４】
上記先の提案にかかるものでは、垂木に支えられた屋根下地板に孔を開け、荷重分散具を貫通した螺子軸を屋根下地板の下面側からナットで固定する構造であることから、物品の取り付け台を組み付ける場合、一旦屋根下地板をめくり上げたりしなくてはならず、その作業に多大の手間と時間を要するうえ、屋根下地板に孔を空けるために、その部分の強度が低下してしまう虞もあった。
【特許文献１】特開昭６０−４１７６５号
【特許文献２】特開平７−２４７６３５号
【発明の開示】
【発明が解決しようとする課題】
【０００５】
本発明は上記問題を解決するために提案されたもので、瓦を支える屋根下地板等を傷つけたり、強度を低下させたりすることなく、更に物品の取り付け台を組み付ける作業も簡単に且つ短時間に行なえるようにすることを目的とするものである。
【課題を解決するための手段】
【０００６】
上記目的を達成するために、本発明にかかる板状部材上に設けられる物品の取り付け台は、建築物に敷設された板状部材を貫通し、下端が板状部材を支持する支持部材に支持される設置部材と、板状部材から突出する設置部材に設けられた物品受け部とを備え、板状部材が貫通する部分の設置部材に雨水浸入防止手段を設け、雨水浸入防止手段を設けた部分と設置部材部分とは連結部分で分離可能に構成すると共に、設置部材と物品受け部とが相対回動可能に構成されていることを最も主要な特徴とするものである。
【０００７】
板状部材上に設けられる物品の取り付け台は、板状部材が瓦であって、物品取り付け台の一部を貫通させる部分が破封部分を介して封止部分で閉塞されており、物品取り付け台を取り付けるに際し、当該破封部分を除去して開口し、物品取り付け台の一部を貫通させるようにしたことも特徴とするものである。
【０００８】
板状部材上に設けられる物品の取り付け台の設置方法は、板状部材を支持する支持部材に設置部材を設置し、設置部材から連結具を立ち上げ、この連結具又は／及び連結具に連結された雨水浸入防止手段の連結部を、封止部分を除去した板状部材の貫通部を貫通させ、当該貫通部を雨水浸入防止手段で雨水の浸入を防止させるとともに、雨水浸入防止手段に物品受け部を固定具で固定するようにしたことを最も主要な特徴とするものである。
【０００９】
板状部材上に設けられる物品の取り付け台の設置方法では、板状部材が既設の瓦であって、穿孔具で貫通部を形成し、少なくとも貫通部乃至その周辺部分を防水塗料の塗布若しくは防水シートを設けて雨水浸入防止手段を形成するようにしたことも特徴とするものである。
【発明の効果】
【００１０】
本発明によれば、板状部材を支持する支持部材に設置部材を設置し、設置部材から立ち上げられた連結具又は／及び連結具に連結された雨水浸入防止手段の連結部を、封止部分を除去した板状部材の貫通部を貫通させ、貫通部を雨水浸入防止手段で雨水の浸入を防止させるとともに、雨水浸入防止手段に物品受け部を固定具で固定するようにしてあるので、本発明者の先の提案にかかるもののように、一旦、支持部材である屋根下地板をめくり上げるたりしなくても済み、設置作業を簡単に行なうことができる。
これにより、その作業の手間と時間を大幅に短縮することができる。
しかも、屋根下地板等に貫通孔を空ける必要がないために、屋根下地板等の強度の低下を防止することができるという利点もある。
【発明を実施するための最良の形態】
【００１１】
以下、本発明にかかる板状部材上に設けられる物品の取り付け台及びその設置方法を図面に基づいて説明する。
【実施例１】
【００１２】
図１は家屋（建築物）Ｈの屋根Ｒに太陽光電池を設置する屋根部分の斜視図であって、図中符号１は想像線図で示す太陽光電池2の取り付け枠であって、この取り付け枠1は上部が図2に示す屋根瓦（板状部材）３から突出する複数の取り付け台４・４・４・・・に支持されている。
各取り付け台４部分の屋根瓦３は図２に示すように、一般的なプレス成型による波型のセメント製屋根瓦であって、その前寄りの中央部分に後述する取り付け台４の上部が貫通する貫通部５が形成されている。
【００１３】
この貫通部５は図３に示すように、周囲が環状の側壁６として突出させるとともに、周囲に薄肉の破封部７を形成した封止部８で閉塞されたもので、屋根瓦３のプレス成型時に同時成型される。
このように貫通部５を封止部８で封止した状態ではこの屋根瓦３を通常の屋根瓦３として使用することができる。
【００１４】
上記取り付け台４は、図４に示すように設置プレート（設置部材）９とこの設置プレート９から立設された連結具１０と、連結具１０に連結された雨水浸入防止手段１１と、雨水浸入防止手段１１の上方に配設される物品受け部１２とからなる。
設置プレート９は側面視において下向きコの字状の金属製板材で形成されており、中央部分に連結具植設用の透孔１３が形成されている。
この金属製板材は、ステンレススチール等の不銹性金属若しくは鍍金や塗装による錆止加工を施したものが耐久性を高める点で望ましいが、こうしたものに限られるものではない。
【００１５】
連結具１０は、上記設置プレート９の透孔１３を貫通するスタッド１４と、透孔１３を貫通したスタッド１４に嵌合して設置プレート９の下面側から受け止めるナット１５と、スタッド１４の上部に嵌合して前記ナット１５とで設置プレート９を挟持するネジ筒１６とからなり、設置プレート９を挟持したネジ筒１１の上半部の雌ネジ１７には後述する雨水浸入防止手段１１が嵌合するようになっている。
尚、本例の図４に示す連結具１０においてはスタッド１４とネジ筒１６とを別体で形成するようにしてあるが、このスタッド１４とネジ筒１６とは一体に形成することもできる。
【００１６】
上記雨水浸入防止手段１１は、屋根瓦３の貫通部５の上方部分を覆うキャップ１８と、このキャップ１８から下方に垂下され前記連結具１０のネジ筒１６に嵌合するネジ部１９と、キャップ１８の上方に突出し、物品受け部１２を支持する支持桿２０とからなる。
物品受け部１２は、前記支持桿２０に回動可能に外嵌する取付け筒２１と、取り付け筒２１の上端に設けた上向きコの字状の物品受け具２２とからなり、取付け筒２１の側面には支持桿２０に嵌着されたときに固定するための固定具２３を螺着するネジ孔２４が形成されている。
【００１７】
上記のように形成された物品取り付け台４を家屋Ｈの屋根Ｒに取付ける場合を次に説明する。
新築やリフォーム等で屋根瓦３を新たに葺く場合、図５に示すように軒側から屋根瓦３を釘２５等で固定しながら葺きあげてゆき、物品取り付け台４を取り付ける位置では、ネジ筒１６を立設した設置プレート９を屋根瓦３の支持部材である屋根下地板２５上に載せる。
この時、設置プレート９はビスや釘等により固定することも考えられる。
また、ナット１５の厚みが厚い場合には屋根下地板２５に窪みを形成することもある。
【００１８】
次に、貫通部５が形成された図２に示す屋根瓦３を、薄肉の破封部７を破って封止部８を取り除いて貫通部５を開口し、開口された貫通部５が設置プレート９のネジ筒１６に位置するように屋根下地板２５に取付ける。
そして、貫通部５に臨むネジ筒１６に雨水浸入防止手段１１のネジ部１９を螺合させてキャップ１８部分で貫通部５を閉塞する。
しかる後、キャップ１８上に突出している支持桿２０に物品受け部１２の取り付け筒２１を外嵌させ、物品受け台４を太陽光電池2の取り付け枠に合わせたその姿勢を固定具２３で固定すると、物品取り付け台４の屋根Ｒへの取付けが完了する。
【実施例２】
【００１９】
上記実施例１では新築やリフォーム等で瓦を新たに葺く場合に、前寄りの中央部分に貫通部を形成した屋根瓦３を用いたものを例に説明してあるが、本発明は既設の屋根Ｒにも屋根瓦３を取り換えることなく実施することもできる。
つまり、既設の屋根瓦をそのまま使用する場合、先ず、物品取り付け台４を設置する部分の屋根瓦３を外し、図6に示すようにドリル等の穿孔具２７で貫通部５を形成する。
次に、図7に示すようにシール並びに補強用樹脂２８を層状に塗布する。
【００２０】
しかる後、上記実施例1と同様にして物品取り付け台４に設置する。
ここで、シール並びに補強用樹脂２８は、穿孔具２７で屋根瓦３に貫通部５を形成するときに皹や割れ、欠け等を生じやすくここから雨水が浸入するのを防止するためであり、斯かる意味で、本例のシール並びに補強用樹脂２８は雨水浸入防止手段１１の一部を構成する。
図示は省略したが、本例のシール並びに補強用樹脂２８は塗布するものに限られず、ゴムシートや塩化ビニルシート、シリコン樹脂シート等柔軟性を有するシート状素材にすることもできる。
【００２１】
上記ゴムシートや塩化ビニルシート、シリコン樹脂シート等柔軟性を有するシート状素材を用いる場合、当該シート状素材の貫通部の位置に予め例えば５ｃｍ程度の透孔を形成し、このシート状素材を所定の屋根瓦に接着剤等で貼着した後、透孔部分をドリル等の穿孔具で貫通部を形成すると、既存の屋根瓦に貫通部を形成するときに皹や割れ、欠け等が生じ難くなるだけでなく、皹や割れ、欠け等を生じても貫通部の防水性を高く維持することができる。
因みにこうした場合、雨水浸入防止手段のキャップと貫通部との間に塩化ビニルやシリコン樹脂で座金状に形成した防水用具を設けることが望ましい。
【００２２】
また、既存の屋根瓦３を加工するときに屋根瓦３が大きく破損した等の理由により他の既存の屋根瓦３を面形として樹脂等で形成する場合には、その成型と同時に上記実施例1に述べたように前寄りの中央部分に貫通部５を形成して実施することが望ましい。
このように既存の屋根瓦３を面形として現場で樹脂等で形成する場合には、すでに生産が中止されているような種々の形状の屋根瓦にも本発明を広く実施することができる利点がある。
【図面の簡単な説明】
【００２３】
【図１】本発明にかかる物品取り付け台を家屋の屋根に取付けた状態の斜視図である。
【図２】本発明にかかる物品取り付け台を取付ける部分の屋根瓦の斜視図である。
【図３】本発明にかかる物品取り付け台を取付ける部分における屋根瓦の貫通部分の縦断        面である。
【図４】本発明にかかる物品取り付け台の分解斜視図である。
【図５】本発明にかかる物品取り付け台を汲みつけた状態に縦断側面図である。
【図６】本発明の物品取り付け台を取付ける部分の実施例2にかかる屋根瓦の加工工程を        示す斜視図である。
【図７】本発明の物品取り付け台を取付ける部分の実施例2にかかる屋根瓦の加工工程を        示す斜視図である。
【図８】本発明の物品取り付け台を取付ける部分の実施例2にかかる屋根瓦の貫通部分の        縦断面である。
【符号の説明】
【００２４】
３・・・屋根瓦（板状部材）
４・・・物品取付け台
５・・・貫通部
７・・・破封部
８・・・封止部
９・・・設置プレート
１０・・・連結具
１１・・・雨水浸入防止手段
１２・・・物品受け部
２２・・・物品受け具
２５・・・屋根下地板（支持部材）
Ｈ・・・家屋（建築物）
Ｒ・・・屋根
【図１】
2007016425.tif 000003
【図２】
2007016425.tif 000004
【図３】
2007016425.tif 000005
【図４】
2007016425.tif 000006
【図５】
2007016425.tif 000007
【図６】
2007016425.tif 000008
【図７】
2007016425.tif 000009
【図８】
2007016425.tif 000010